(57)【要約】【課題】  ガラス板等の透明板に貼着した時、透明板面側からも印刷が見えるようにして装飾効果を高めた印刷シートを提供する。【解決手段】  合成樹脂シート２の両面に印刷を施して印刷層３，４を夫々形成し、いずれか一方の印刷層４表面に透明な粘着剤を塗布して粘着剤層５を形成した印刷シート１を提供する。【選択図】  図１
0003104441.tif 000002
【実用新案登録請求の範囲】
【請求項１】
合成樹脂シートの両面に印刷を施して印刷層を夫々形成し、いずれか一方の印刷層表面に透明な粘着剤を塗布して粘着剤層を形成したことを特徴とする印刷シート。
【請求項２】
上記合成樹脂シートの他方の印刷層上に透明フィルムをラミネートすることを特徴とする請求項１記載の印刷シート。
【請求項３】
表面に印刷を施して印刷層を夫々形成した２枚の合成樹脂シートの裏面側に接着剤を塗布して該２枚の合成樹脂シートを相互に貼り合わせ、いずれか一方の合成樹脂シートの印刷層上に粘着剤を塗布して粘着剤層を形成したことを特徴とする印刷シート。
【請求項４】
上記合成樹脂シートの他方の印刷層上に透明フィルムをラミネートすることを特徴とする請求項３記載の印刷シート。
【請求項５】
上記合成樹脂シートはポリエステル系樹脂であることを特徴とする請求項１，２，３又は４記載の印刷シート。
【請求項６】
上記印刷は木目模様の印刷であることを特徴とする請求項１，２，３，４又は５記載の印刷シート。
【請求項７】
請求項１〜６記載の上記印刷シートを上記粘着剤層によって透明ガラス板の片面に貼付することを特徴とする印刷シートの施工構造。
【請求項８】
請求項１〜６記載の上記印刷シートを上記粘着剤層によって透明樹脂板の片面に貼付することを特徴とする印刷シートの施工構造。
【考案の詳細な説明】
【技術分野】
【０００１】
本考案は、印刷シート及び該印刷シートの施工構造に関し、特に、木目模様の印刷が施された印刷シートであって、パーティション、間仕切り又はドア等の透明なガラス板等に貼付して装飾効果を高めることができる印刷シート及び該印刷シートの施工構造に関するものである。
【背景技術】
【０００２】
木目模様の印刷等が施された木目模様印刷シートは装飾デザイン効果が高く、例えば、合板等に貼付され化粧板として利用され、又は、壁に貼付して化粧壁として利用され、或いは、家具などに貼付して利用される等、種々の用途に利用されている。
【０００３】
この木目模様印刷シートは、表面のみに木目模様印刷が施され、印刷が施されない裏面に接着剤或いは粘着剤を塗布して、他の材料に貼着される場合が多い（例えば特許文献１及び２）。
【特許文献１】特開２００１−２３２７２０号公報
【特許文献２】特開２００２−１４９０７０号公報
【考案の開示】
【考案が解決しようとする課題】
【０００４】
然しながら、従来の木目模様印刷シートは、表面のみに木目模様の印刷が施され、裏面には木目模様の印刷が施されないため、例えば、透明なガラス板を化粧材、間仕切り用途、或いは、インテリア用途等、空間内で使用する場合に、該木目模様印刷シートの裏面側に接着剤或いは粘着剤を塗布して、該木目模様印刷シートを該透明なガラスに貼着すると、木目模様印刷シートの木目模様印刷が施されていない裏面がガラス面を通して見えるため、装飾的な効果が損なわれるという問題があった。
【０００５】
以上の現状に鑑み、本考案の目的は、ガラス板等の透明板に貼着した時、透明板面側からも印刷が見えるようにして装飾効果を高めた印刷シートを提供する。
【課題を解決するための手段】
【０００６】
上記の課題を解決すべく、本考案は以下の構成を提供する。
請求項１に係る考案は、合成樹脂シートの両面に印刷を施して印刷層を夫々形成し、いずれか一方の印刷層表面に透明な粘着剤を塗布して粘着剤層を形成したことを特徴とする印刷シートを提供するものである。
【０００７】
請求項２に係る考案は、上記合成樹脂シートの他方の印刷層上に透明フィルムをラミネートすることを特徴とする請求項１記載の印刷シートを提供するものである。
【０００８】
請求項３に係る考案は、表面に印刷を施して印刷層を夫々形成した２枚の合成樹脂シートの裏面側に接着剤を塗布して該２枚の合成樹脂シートを相互に貼り合わせ、いずれか一方の合成樹脂シートの印刷層上に粘着剤を塗布して粘着剤層を形成したことを特徴とする印刷シートを提供するものである。
【０００９】
請求項４に係る考案は、上記合成樹脂シートの他方の印刷層上に透明フィルムをラミネートすることを特徴とする請求項３記載の印刷シートを提供するものである。
【００１０】
請求項５に係る考案は、上記合成樹脂シートはポリエステル系樹脂であることを特徴とする請求項１，２，３又は４記載の印刷シートを提供するものである。
請求項６に係る考案は、上記印刷は木目模様印刷であることを特徴とする請求項１，２，３，４又は５記載の印刷シートを提供するものである。
【００１１】
請求項７に係る考案は、請求項１〜６記載の上記印刷シートを上記粘着剤層によって透明ガラス板の片面に貼付することを特徴とする印刷シートの施工構造を提供するものである。
【００１２】
請求項８に係る考案は、請求項１〜６記載の上記印刷シートを上記粘着剤層によって透明樹脂板の片面に貼付することを特徴とする印刷シートの施工構造を提供するものである。
【考案の効果】
【００１３】
本考案の請求項１記載の考案によれば、合成樹脂シートの両面に印刷を施して印刷層を夫々形成し、いずれか一方の印刷層表面に透明な粘着剤を塗布して粘着剤層を形成した印刷シートであるので、ガラス板等の透明板に貼着した時、透明板面側からも印刷が見えるため装飾効果が高まり、従来例のように、印刷が施されていない印刷シートの裏面が透明板面から見えることもない。
【００１４】
請求項２記載の考案によれば、上記合成樹脂シートの他方の印刷層上に透明フィルムをラミネートするので、請求項１記載の考案の効果に加え、該透明フィルムによって印刷面に光沢を付与することができ、印刷シートを透明板に貼付した時、透明フィルムを通して見える印刷シートの印刷層と、透明板を通して見える印刷シートの印刷層の光沢を略同様にして、違和感を無くし装飾効果を高めることができる。
【００１５】
請求項３記載の考案によれば、表面に印刷を施して印刷層を夫々形成した２枚の合成樹脂シートの裏面側に接着剤を塗布して該２枚の合成樹脂シートを相互に貼り合わせ、いずれか一方の合成樹脂シートの印刷層上に粘着剤を塗布して粘着剤層を形成した印刷シートであるので、請求項１記載の考案の効果に加え、前記印刷層の印刷模様を同じにすることが可能になり、印刷層の印刷模様を同じにした該印刷シートを透明板に貼着すると、該印刷シート面及び透明板面の両面方向から見た印刷の模様を同じにすることができ、装飾効果を更に高めることができる。
【００１６】
請求項４記載の考案によれば、上記合成樹脂シートの他方の印刷層上に透明フィルムをラミネートするので請求項３記載の考案の効果に加え、請求項２記載の考案と同様の効果が期待できる。
【００１７】
請求項５記載の考案によれば、上記合成樹脂シートはポリエステル系樹脂であるので請求項１，２，３又は４記載の考案の効果に加え、上記印刷シートを透明板に貼付した場合、該透明板の破損時の飛散防止を図ることができる。
【００１８】
請求項６記載の考案によれば、上記印刷は木目模様印刷であるので、請求項１，２，３，４又は５記載の考案の効果に加え、木目模様印刷によって装飾的効果を高めることができる。
【００１９】
請求項７記載の考案によれば、請求項１〜６記載の上記印刷シートを上記粘着剤層によって透明ガラス板の片面に貼付する印刷シートの施工構造を提供するので、該印刷シートをガラス板に貼着した時、透明ガラス板を不透明にすることができると共に、ガラス面側からも印刷層が見えるため装飾効果が高まり、且つ、ガラス破損時の飛散防止が図れる。
【００２０】
請求項８記載の考案によれば、請求項１〜６記載の上記印刷シートを上記粘着剤層によって透明樹脂板の片面に貼付する印刷シートの施工構造を提供するので、請求項７記載の考案と略同様の効果が期待できる。
【考案を実施するための最良の形態】
【００２１】
以下、実施例を示した図面を参照しつつ本考案の実施の形態を説明する。
図１に於いて、１は本考案の印刷シートであり、該印刷シート１はポリエステル系樹脂等から成る合成樹脂シート２の両面に木目模様の印刷を施して印刷層３，４を夫々形成し、いずれか一方の印刷層４表面に透明な粘着剤を塗布して粘着剤層５を形成したものである。尚、前記印刷層３，４は木目模様に限定されるものではなく、用途に応じて他の種々の模様にすることが可能である。又、前記印刷シート１を搬送する場合は、適宜、前記粘着剤層５に剥離紙（図示せず）等を貼付しても良い。
【００２２】
而して、図２に示す如く、前記印刷シート１を前記粘着剤層５によって透明ガラス板６に貼付すると、貼着施工された該印刷シート１と該透明ガラス板６の施工構造は、図に於いて、左方からは該印刷シート１の印刷層３が見え、右方からは前記透明ガラス板６及び前記粘着剤層５を透過して前記印刷シート１の印刷層４が見える。
【００２３】
斯くして、前記印刷シート１は透明ガラス板６を不透明にすることができると共に、印刷層３及び透明ガラス板６を透過して見える印刷層４によって装飾効果を高めることができ、且つ、ガラス破損時の飛散防止が図れる。そして、該印刷シート１を貼付した透明ガラス板６は、特に、空間内に施工される化粧材、パーティション、ガラスドア、又は、インテリアとして好適に使用できる。又、前記印刷シート１を合わせガラス（図示せず）に挟むと該合わせガラスの両面から該印刷シート１の印刷層３，４を見ることができる。
【００２４】
更に、図示は省略するが、前記透明ガラス板６に代えて、透明樹脂板に前記印刷シート１を貼付することも可能であり、然る時も、該透明ガラス板６に貼付した時と略同様の効果が期待できる。
【００２５】
又、図３に於いて７は他の印刷シートを示し、該印刷シート７は前記印刷シート（図１に於いて１）に於いて、粘着剤層５が塗布されない印刷層３上に透明フィルム８をラミネートしたものである。
【００２６】
而して、図４に示す如く、前記印刷シート７を該粘着剤層５によって透明ガラス板６に貼付すると、図に於いて、左方からは該透明フィルム８を透過して該印刷シート７の印刷層３が見え、右方からは前記透明ガラス板６及び前記粘着剤層５を透過して前記印刷シート７の印刷層４が見える。
【００２７】
そして、前記印刷シート７は前記印刷シート（図１に於いて１）の効果に加え、前記透明フィルム８がラミネートされた印刷層３は該透明フィルム８によって保護されると共に、該透明フィルム８によって該印刷層３の印刷面に光沢を付与することができ、前記印刷シート７を透明ガラス板６に貼付した時、該透明フィルム８を通して見える印刷シート７の印刷層３と、透明ガラス板６を通して見える印刷シート７の印刷層４の光沢を略同様にして、違和感を無くし装飾効果を高めることができる。尚、用途に応じて、該透明フィルム８をつや消しにすることも可能である。
【００２８】
又、図示は省略するが、前記透明ガラス板６に代えて透明樹脂板に前記印刷シート７を貼付することも可能であり、然る時も、略同様な効果を得ることができる。
図５に於いて、１１は更に他の印刷シートを示し、該印刷シート１１は表面に印刷を施して印刷層１２，１３を夫々形成した２枚の合成樹脂シート１４，１５の裏面側に接着剤１６を塗布して該２枚の合成樹脂シート１４，１５を相互に貼り合わせ、いずれか一方の合成樹脂シート１５の印刷層１３上に粘着剤を塗布して粘着剤層１７を形成したものである。
【００２９】
而して、図６に示す如く、前記印刷シート１１を該粘着剤層１７によって透明ガラス板１８に貼付すると、図に於いて、左方からは該印刷シート１１の印刷層１２が見え、右方からは前記透明ガラス板１８及び前記粘着剤層１７を透過して前記印刷シート１１の印刷層１４が見える。
【００３０】
そして、前記印刷シート１１は前記印刷シート（図１に於いて１）と同様の効果を奏すると共に、前記印刷層１２，１３の印刷模様を同じに印刷することが可能であるため、印刷層１２，１３の印刷模様を同じにした印刷シート１１を透明ガラス板１８に貼着すると、該印刷シート１１と透明ガラス板１８の貼着施工構造は、該印刷シート１１面及び該透明ガラス板１８面の両面方向から見た印刷の模様を同じにすることができ、装飾効果を更に高めることができる。又、図示は省略するが、前記透明ガラス板１８に代えて透明樹脂板に該印刷シート１１を貼付することも可能であり、然る時も同様の効果が期待できる。
【００３１】
更に又、図示は省略するが、該印刷シート１１の印刷層１２表面に透明フィルムを貼付することも可能であり、然る時は前記印刷シート７と同様の効果が期待できる。
【図面の簡単な説明】
【００３２】
【図１】本考案の一実施の形態を示し、印刷シートの断面図。
【図２】図１に示す印刷シートをガラスに貼付した状態を示す断面図。
【図３】本考案の他の実施の形態を示し、印刷シートの断面図。
【図４】図３に示す印刷シートをガラスに貼付した状態を示す断面図。
【図５】本考案の更に他の実施の形態を示し、印刷シートの断面図。
【図６】図５に示す印刷シートをガラスに貼付した状態を示す断面図。
【符号の説明】
【００３３】
１，７，１１  印刷シート
２，１４，１５  合成樹脂シート
３，４，１２，１３  印刷層
５，１７  粘着剤層
６，１８  透明ガラス板
８  透明フィルム
１６  接着剤
【図１】
0003104441.tif 000003
【図２】
0003104441.tif 000004
【図３】
0003104441.tif 000005
【図４】
0003104441.tif 000006
【図５】
0003104441.tif 000007
【図６】
0003104441.tif 000008